【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
第１通信プロトコルに従って第１種フレームの伝送が行われる第１ネットワークと、第１通信プロトコルとは異なる第２通信プロトコルに従ってネットワークで第２種フレームの伝送が行われる第２ネットワークとを含む、車両におけるネットワーク通信システムである、車載ネットワークシステムで用いられるネットワークハブであって、
ペイロードであるデータを含む第１種フレームを受信する受信部と、
前記受信部で受信された第１種フレームが第２ネットワークに伝送されるべき第２種フレームの基礎となる第１情報を含むか否かを判別し、当該判別の結果に基づいて当該第１種フレームに基づくフレームを送出するポートを選定する転送先選定部と、
前記受信部で受信された第１種フレームについての前記転送先選定部で選定されたポートに接続される有線伝送路に、当該第１種フレームに基づくフレームを送出する送信部とを備え、
前記ポートは、第２種フレームの伝送が行われる前記ネットワークに接続される第２のポートと、有線伝送路に接続される第１のポートを有し、
前記転送先選定部は、
前記受信部で受信された第１種フレームが前記第１情報を含むと判別した場合に、当該第１種フレームに基づくフレームを送出するポートとして、前記第２のポートを選定し、
前記受信部で受信された第１種フレームが前記第１情報を含まないと判別した場合に、当該第１種フレームに基づくフレームを送出するポートとして、前記第１のポートを選定し、
前記送信部は、
前記受信部で受信された第１種フレームについての前記転送先選定部で選定されたポートが、前記第１のポートである場合に、当該第１種フレームとは少なくとも前記ペイロードの内容が同一の第１種フレームを前記有線伝送路に送出し、
前記受信部で受信された第１種フレームについての前記転送先選定部で選定されたポートが、前記第２のポートである場合に、当該第１種フレームにおける前記第１情報を含む第２種フレームを当該ネットワークに送出する
ネットワークハブ。
【請求項２】
第１通信プロトコルは、Ｅｔｈｅｒｎｅｔ（登録商標）プロトコルであり、
第２通信プロトコルは、ＣＡＮ（Controller Area Network）プロトコルであり、
第１種フレームは、Ｅｔｈｅｒｎｅｔ（登録商標）ヘッダと、ペイロードであるデータとを含むＥｔｈｅｒｎｅｔ（登録商標）フレームであり、
第２種フレームは、データフィールドを含むデータフレームであり、
前記第１情報は、前記データフィールドの内容を示し、
前記第１のポートは、Ｅｔｈｅｒｎｅｔ（登録商標）ケーブルに接続される
請求項１記載のネットワークハブ。
【請求項３】
第２種フレームは、ＩＤフィールド、ＤＬＣ（Data Length Code）及び前記データフィールドを含み、
前記第１情報は、前記ＩＤフィールド、前記ＤＬＣ及び前記データフィールドの値を示し、
前記送信部は、第２種フレームの前記ネットワークへの前記送出を、前記第１情報が示す前記ＩＤフィールドの値を第２種フレームの前記ＩＤフィールドに入れて、前記第１情報が示す前記ＤＬＣの値を当該第２種フレームの前記ＤＬＣに入れて、前記第１情報が示す前記データフィールドの値を当該第２種フレームの前記データフィールドに入れて生成された当該第２種フレームを前記ネットワークに送出することで、行う
請求項２記載のネットワークハブ。
【請求項４】
前記第１情報は、第２ネットワークに伝送されるべき複数の第２種フレームそれぞれの前記ＩＤフィールド、前記ＤＬＣ及び前記データフィールドの値を示し、
前記送信部は、第２種フレームの前記ネットワークへの前記送出を、複数の第２種フレームのそれぞれが前記第１情報の互いに異なる一部を含むところの当該複数の第２種フレームを前記ネットワークに送出することで、行う
請求項３記載のネットワークハブ。
【請求項５】
第２種フレームは、ＩＤフィールド及び前記データフィールドを含み、
前記第１情報は、第１種フレームの前記ペイロードに配置された、第２ネットワークに伝送されるべき複数の第２種フレームそれぞれの前記データフィールドの値を示す個別データの集合であり、
前記送信部は、第２種フレームの前記ネットワークへの前記送出を、前記個別データの集合の各々について、当該個別データの前記ペイロードでの配置に基づいて特定されるＩＤ値を第２種フレームの前記ＩＤフィールドに入れて、当該個別データの値を当該第２種フレームの前記データフィールドに入れて生成された当該第２種フレームを前記ネットワークに送出することで、行う
請求項２記載のネットワークハブ。
【請求項６】
第２種フレームは、ＩＤフィールド及び前記データフィールドを含み、
前記送信部は、前記受信部で受信された第１種フレームにおける前記第１情報を含む第２種フレームの前記ネットワークへの前記送出を、当該第１種フレーム内の前記Ｅｔｈｅｒｎｅｔ（登録商標）ヘッダにおける宛先ＭＡＣアドレスの値に基づいて特定されるＩＤ値を第２種フレームの前記ＩＤフィールドに入れて、前記第１情報が示す前記データフィールドの値を当該第２種フレームの前記データフィールドに入れて生成された当該第２種フレームを前記ネットワークに送出することで、行う
請求項２記載のネットワークハブ。
【請求項７】
前記ネットワークハブは、前記Ｅｔｈｅｒｎｅｔ（登録商標）ケーブルに接続される複数のポートを有し、当該複数のポートは、第２種フレームの伝送が行われる前記ネットワークに接続される装置に対して前記Ｅｔｈｅｒｎｅｔ（登録商標）ケーブルで接続されるポートを含み、
前記転送先選定部は、前記受信部で受信された第１種フレームが前記第１情報を含むと判別した場合に、当該第１種フレームに基づくフレームを送出するポートとして、前記ネットワークに接続される前記装置に対して前記Ｅｔｈｅｒｎｅｔ（登録商標）ケーブルで接続されるポートを選定し、
前記送信部は、前記受信部で受信された第１種フレームについての前記転送先選定部で選定されたポートに接続された前記Ｅｔｈｅｒｎｅｔ（登録商標）ケーブルに、当該第１種フレームとは少なくとも前記ペイロードの内容が同一の第１種フレームを送出する
請求項２記載のネットワークハブ。
【請求項８】
前記転送先選定部は、前記受信部で受信された第１種フレーム内の所定の識別フラグの値により前記判別を行う
請求項２〜７のいずれか一項に記載のネットワークハブ。
【請求項９】
前記所定の識別フラグは、第１種フレームの前記Ｅｔｈｅｒｎｅｔ（登録商標）ヘッダ内に配置されている
請求項８記載のネットワークハブ。
【請求項１０】
前記転送先選定部は、前記受信部で受信された第１種フレーム内の前記Ｅｔｈｅｒｎｅｔ（登録商標）ヘッダにおける宛先ＭＡＣアドレスの値により前記判別を行う
請求項２〜７のいずれか一項に記載のネットワークハブ。
【請求項１１】
第１通信プロトコルに従って第１種フレームの伝送が行われる第１ネットワークと、第１通信プロトコルとは異なる第２通信プロトコルに従ってネットワークで第２種フレームの伝送が行われる第２ネットワークとを含む、車両におけるネットワーク通信システムである、車載ネットワークシステムにおけるネットワークハブで用いられる転送方法であって、
ペイロードであるデータを含む第１種フレームを受信する受信ステップと、
前記受信ステップで受信された第１種フレームが第２ネットワークに伝送されるべき第２種フレームの基礎となる第１情報を含むか否かを判別し、当該判別の結果に基づいて当該第１種フレームに基づくフレームを送出するポートを選定する転送先選定ステップと、
前記受信ステップで受信された第１種フレームについての前記転送先選定ステップで選定されたポートに接続される有線伝送路に、当該第１種フレームに基づくフレームを送出する送信ステップとを含み、
前記ポートは、第２種フレームの伝送が行われる前記ネットワークに接続される第２のポートと、有線伝送路に接続される第１のポートを有し、
前記転送先選定ステップは、
前記受信ステップで受信された第１種フレームが前記第１情報を含むと判別した場合に、当該第１種フレームに基づくフレームを送出するポートとして、前記第２のポートを選定し、
前記受信ステップで受信された第１種フレームが前記第１情報を含まないと判別した場合に、当該第１種フレームに基づくフレームを送出するポートとして、前記第１のポートを選定し、
前記送信ステップは、
前記受信ステップで受信された第１種フレームについての前記転送先選定ステップで選定されたポートが、前記第１のポートである場合に、当該第１種フレームとは少なくとも前記ペイロードの内容が同一の第１種フレームを前記有線伝送路に送出し、
前記受信ステップで受信された第１種フレームについての前記転送先選定ステップで選定されたポートが、前記第２のポートである場合に、当該第１種フレームにおける前記第１情報を含む第２種フレームを当該ネットワークに送出する
転送方法。
【請求項１２】
第１通信プロトコルに従って第１種フレームの伝送が行われる第１ネットワークと、第１通信プロトコルとは異なる第２通信プロトコルに従ってネットワークで第２種フレームの伝送が行われる第２ネットワークとを含む、車両におけるネットワーク通信システムである、車載ネットワークシステムであって、
第１ネットワークに接続された電子制御ユニットと、
第１ネットワークに接続されたネットワークハブとを備え、
前記電子制御ユニットは、
第１通信プロトコルに従って第１種フレームを生成する生成部と、
前記生成部により生成された第１種フレームを第１ネットワークに送信する送信部とを備え、
前記生成部は、第２ネットワークに伝送されるべき第２種フレームの基礎となる第１情報と、第１種フレームが第２ネットワークに伝送されるべき情報を含むことを表す第２情報とを、当該第１種フレームに含ませて、当該第１種フレームの前記生成を行い、
前記ネットワークハブは、
ペイロードであるデータを含む第１種フレームを受信する受信部と、
前記受信部で受信された第１種フレームが前記第１情報を含むか否かを判別し、当該判別の結果に基づいて当該第１種フレームに基づくフレームを送出するポートを選定する転送先選定部と、
前記受信部で受信された第１種フレームについての前記転送先選定部で選定されたポートに接続される有線伝送路に、当該第１種フレームに基づくフレームを送出する送信部とを備え、
前記ポートは、第２種フレームの伝送が行われる前記ネットワークに接続される第２のポートと、有線伝送路に接続される第１のポートを有し、
前記ネットワークハブにおいて、
前記転送先選定部は、
前記受信部で受信された第１種フレームが前記第１情報を含むと判別した場合に、当該第１種フレームに基づくフレームを送出するポートとして、前記第２のポートを選定し、
前記受信部で受信された第１種フレームが前記第１情報を含まないと判別した場合に、当該第１種フレームに基づくフレームを送出するポートとして、前記第１のポートを選定し、
前記送信部は、
前記受信部で受信された第１種フレームについての前記転送先選定部で選定されたポートが、前記第１のポートである場合に、当該第１種フレームとは少なくとも前記ペイロードの内容が同一の第１種フレームを前記有線伝送路に送出し、
前記受信部で受信された第１種フレームについての前記転送先選定部で選定されたポートが、前記第２のポートである場合に、当該第１種フレームにおける前記第１情報を含む第２種フレームを当該ネットワークに送出する
車載ネットワークシステム。
【手続補正２】
【補正対象書類名】明細書
【補正対象項目名】０００７
【補正方法】変更
【補正の内容】
【０００７】
上記課題を解決するために本発明の一態様に係るネットワークハブ（ＨＵＢ）は、第１通信プロトコルに従って第１種フレームの伝送が行われる第１ネットワークと、第１通信プロトコルとは異なる第２通信プロトコルに従ってネットワークで第２種フレームの伝送が行われる第２ネットワークとを含む、車両におけるネットワーク通信システムである、車載ネットワークシステムで用いられるネットワークハブであって、第１種フレームを受信する受信部と、前記受信部で受信された第１種フレームが第２ネットワークに伝送されるべき第２種フレームの基礎となる第１情報を含むか否かを判別し、当該判別の結果に基づいて当該第１種フレームに基づくフレームを送出するポートを選定する転送先選定部と、前記受信部で受信された第１種フレームについての前記転送先選定部で選定されたポートに接続される有線伝送路に、当該第１種フレームに基づくフレームを送出する送信部とを備え、前記ポートは、第２種フレームの伝送が行われる前記ネットワークに接続される第２のポートと、有線伝送路に接続される第１のポートを有し、前記転送先選定部は、前記受信部で受信された第１種フレームが前記第１情報を含むと判別した場合に、当該第１種フレームに基づくフレームを送出するポートとして、前記第２のポートを選定し、前記受信部で受信された第１種フレームが前記第１情報を含まないと判別した場合に、当該第１種フレームに基づくフレームを送出するポートとして、前記第１のポートを選定し、前記送信部は、前記受信部で受信された第１種フレームについての前記転送先選定部で選定されたポートが、前記第１のポートである場合に、当該第１種フレームとは少なくとも前記ペイロードの内容が同一の第１種フレームを前記有線伝送路に送出し、前記受信部で受信された第１種フレームについての前記転送先選定部で選定されたポートが、前記第２のポートである場合に、当該第１種フレームにおける前記第１情報を含む第２種フレームを当該ネットワークに送出するネットワークハブである。
【手続補正３】
【補正対象書類名】明細書
【補正対象項目名】０００８
【補正方法】変更
【補正の内容】
【０００８】
また、上記課題を解決するために本発明の一態様に係る転送方法は、第１通信プロトコルに従って第１種フレームの伝送が行われる第１ネットワークと、第１通信プロトコルとは異なる第２通信プロトコルに従ってネットワークで第２種フレームの伝送が行われる第２ネットワークとを含む、車両におけるネットワーク通信システムである、車載ネットワークシステムにおけるネットワークハブで用いられる転送方法であって、ペイロードであるデータを含む第１種フレームを受信する受信ステップと、前記受信ステップで受信された第１種フレームが第２ネットワークに伝送されるべき第２種フレームの基礎となる第１情報を含むか否かを判別し、当該判別の結果に基づいて当該第１種フレームに基づくフレームを送出するポートを選定する転送先選定ステップと、前記受信ステップで受信された第１種フレームについての前記転送先選定ステップで選定されたポートに接続される有線伝送路に、当該第１種フレームに基づくフレームを送出する送信ステップとを含み、前記ポートは、第２種フレームの伝送が行われる前記ネットワークに接続される第２のポートと、有線伝送路に接続される第１のポートを有し、前記転送先選定ステップは、前記受信ステップで受信された第１種フレームが前記第１情報を含むと判別した場合に、当該第１種フレームに基づくフレームを送出するポートとして、前記第２のポートを選定し、前記受信ステップで受信された第１種フレームが前記第１情報を含まないと判別した場合に、当該第１種フレームに基づくフレームを送出するポートとして、前記第１のポートを選定し、前記送信ステップは、前記受信ステップで受信された第１種フレームについての前記転送先選定ステップで選定されたポートが、前記第１のポートである場合に、当該第１種フレームとは少なくとも前記ペイロードの内容が同一の第１種フレームを前記有線伝送路に送出し、前記受信ステップで受信された第１種フレームについての前記転送先選定ステップで選定されたポートが、前記第２のポートである場合に、当該第１種フレームにおける前記第１情報を含む第２種フレームを当該ネットワークに送出する転送方法である。
【手続補正４】
【補正対象書類名】明細書
【補正対象項目名】０００９
【補正方法】変更
【補正の内容】
【０００９】
また、上記課題を解決するために本発明の一態様に係る車載ネットワークシステムは、第１通信プロトコルに従って第１種フレームの伝送が行われる第１ネットワークと、第１通信プロトコルとは異なる第２通信プロトコルに従ってネットワークで第２種フレームの伝送が行われる第２ネットワークとを含む、車両におけるネットワーク通信システムである、車載ネットワークシステムであって、第１ネットワークに接続された電子制御ユニットと、第１ネットワークに接続されたネットワークハブとを備え、前記電子制御ユニットは、第１通信プロトコルに従って第１種フレームを生成する生成部と、前記生成部により生成された第１種フレームを第１ネットワークに送信する送信部とを備え、前記生成部は、第２ネットワークに伝送されるべき第２種フレームの基礎となる第１情報と、第１種フレームが第２ネットワークに伝送されるべき情報を含むことを表す第２情報とを、当該第１種フレームに含ませて、当該第１種フレームの前記生成を行い、前記ネットワークハブは、ペイロードであるデータを含む第１種フレームを受信する受信部と、前記受信部で受信された第１種フレームが前記第１情報を含むか否かを判別し、当該判別の結果に基づいて当該第１種フレームに基づくフレームを送出するポートを選定する転送先選定部と、前記受信部で受信された第１種フレームについての前記転送先選定部で選定されたポートに接続される有線伝送路に、当該第１種フレームに基づくフレームを送出する送信部とを備え、前記ポートは、第２種フレームの伝送が行われる前記ネットワークに接続される第２のポートと、有線伝送路に接続される第１のポートを有し、前記ネットワークハブにおいて、前記転送先選定部は、前記受信部で受信された第１種フレームが前記第１情報を含むと判別した場合に、当該第１種フレームに基づくフレームを送出するポートとして、前記第２のポートを選定し、前記受信部で受信された第１種フレームが前記第１情報を含まないと判別した場合に、当該第１種フレームに基づくフレームを送出するポートとして、前記第１のポートを選定し、前記送信部は、前記受信部で受信された第１種フレームについての前記転送先選定部で選定されたポートが、前記第１のポートである場合に、当該第１種フレームとは少なくとも前記ペイロードの内容が同一の第１種フレームを前記有線伝送路に送出し、前記受信部で受信された第１種フレームについての前記転送先選定部で選定されたポートが、前記第２のポートである場合に、当該第１種フレームにおける前記第１情報を含む第２種フレームを当該ネットワークに送出する車載ネットワークシステムである。